(57)【要約】      （修正有）【課題】冷・温水器、浄水器、又は自動販売機に装着される温水槽に関するものであって、さらに詳細には、温水槽が分離可能な構造からなっていることから、温水槽の洗浄が容易となり、且つ、温水槽の外壁に真空状態の空間を設けることによって断熱性に優れた分離可能な温水槽を提供する。【解決手段】分離可能な温水槽は、内部に貯水空間を有する胴体部１００に蓋部２００が分離可能に組み合わされているものの、蓋部と胴体部に蓋螺子部２０１と胴体螺子部１０１がそれぞれ形成され、互いに螺子結合方式により螺合されたり、蓋部に結着部が備えられ、この結着部に引っ掛かることにより係合する係止部が胴体部に備えられ、この結着部及び係止部により蓋部と胴体部が相互分離可能に組み合わされる構造からなっている。しかも、この胴体部と蓋部の相互結合部位にはシール部３００が介在されていることから、温水槽の内部を密閉することができる。【選択図】図２
2009257729.tif 000002
【特許請求の範囲】
【請求項１】
水加熱手段が組み合わされ、冷・温水器、浄水器又は自動販売機などに装着されている温水槽において、
内部に貯水空間が設けられ、上・下側のどちらかの一側が開放されている胴体部と、
前記胴体部の開放側に分離可能に結合されている蓋部と、
前記胴体部及び前記蓋部が互いに結合している部位に介在され、前記胴体部の内部を密閉するようになっているシール部とを包含してなされ、
前記胴体部及び前記蓋部が互いに結合する各部位には、前記蓋部及び前記胴体部が互いに螺子結合方式により組み合わされるように蓋螺子部と胴体螺子部がそれぞれ形成されていることを特徴とする分離可能な温水槽。
【請求項２】
前記蓋部は、前記胴体部の内部に挿入されながら、螺子結合することを特徴とする請求項１に記載の分離可能な温水槽。
【請求項３】
前記胴体部の端部には、外向きに折り曲げられて胴体折曲部が形成され、前記蓋部の端部には、外向きに折り曲げられて蓋折曲部が形成され、前記シール部は、前記胴体折曲部と前記蓋折曲部の間に介在されることを特徴とする請求項２に記載の分離可能な温水槽。
【請求項４】
前記蓋部は、前記胴体部の開放側の外面を覆いながら、螺子結合することを特徴とする請求項１に記載の分離可能な温水槽。
【請求項５】
前記蓋部は、前記胴体部の開放側を覆うようになっている蓋板と、前記蓋板の外側面に取り付けられる蓋結合体とからなり、
前記蓋螺子部は、前記蓋結合体の内側面に形成されることを特徴とする請求項４に記載の分離可能な温水槽。
【請求項６】
前記胴体螺子部は、前記胴体部の外側面に取り付けられる胴体結合体の外側面に形成されることを特徴とする請求項４に記載の分離可能な温水槽。
【請求項７】
前記胴体螺子部は、前記胴体部の外側面に取り付けられる胴体結合体の外側面に形成され、
前記蓋部は、前記胴体部の開放側を覆うようになっている蓋板と、前記蓋板の外側面に取り付けられる蓋結合体とからなり、前記蓋螺子部は、前記蓋結合体の内側面に形成されることを特徴とする請求項４に記載の分離可能な温水槽。
【請求項８】
前記胴体部の端部には外向きに折り曲げられて胴体折曲部が形成され、前記蓋板の端部には外向きに折り曲げられて蓋折曲部が形成され、前記シール部は、前記胴体折曲部と前記蓋折曲部の間に介在されることを特徴とする請求項７に記載の分離可能な温水槽。
【請求項９】
前記胴体折曲部及び前記蓋折曲部のうちのどちらかの一つに、又はそれぞれに、前記シール部方向に突き出される突出部が形成されることを特徴とする請求項８に記載の分離可能な温水槽。
【請求項１０】
前記胴体部の外側面には、前記胴体結合体の遊動を防止するための支持突起が突出形成されており、前記蓋板の外側面には前記蓋結合体の遊動を防止するための支持突起が突出形成されていることを特徴とする請求項７に記載の分離可能な温水槽。
【請求項１１】
前記胴体部は、内壁体及び前記内壁体との間に空間が設けられるように配設され、前記空間を密閉するように端部が前記内壁体の端部と接合一体化となっている外壁体からなされることを特徴とする請求項１乃至請求項１０のいずれか一項に記載の分離可能な温水槽。
【請求項１２】
前記空間は、真空状態であることを特徴とする請求項１１に記載の分離可能な温水槽。
【請求項１３】
冷・温水器、浄水器又は自動販売機などに装着されている温水槽において、
内部に貯水空間が設けられ、上側が開放され、開放側の外側面に胴体結合体が取り付けられる胴体部と、
前記胴体部の開放側を覆うようになっている蓋板と、前記蓋板の外側面に取り付けられる蓋結合体とからなる蓋部と、
前記胴体結合体と、前記蓋結合体が相互結合する部位に介在され、前記胴体部の内部を密閉するようになっているシール部とを包含してなされ、
前記蓋部及び前記胴体部が互いに螺子結合方式により結合することができるように前記蓋結合体の内側面には蓋螺子部が形成され、前記胴体結合体の外側面には胴体螺子部が形成され、
前記蓋板には外部電源から電力を供給され、温水槽内部に貯蔵の水を加熱することができるように前記胴体部の内部に貫通連結されるパイプヒーターが取り付けられ、
前記パイプヒーターに干渉しない前記蓋板の上側には温水槽内部に貯蔵の水の温度を測定する温度センサーが具備されていることを特徴とする分離可能な温水槽。
【請求項１４】
前記胴体部の端部には、外向きに折り曲げられて胴体折曲部が形成され、前記蓋部の端部には、外向きに折り曲げられて蓋折曲部が形成され、前記シール部は、前記胴体折曲部と蓋折曲部の間に介在されることを特徴とする請求項１３に記載の分離可能な温水槽。
【請求項１５】
前記胴体折曲部及び前記蓋折曲部のうちのどちらかの一つ、又はそれぞれに前記シール部方向に突出される突出部を形成することを特徴とする請求項１４に記載の分離可能な温水槽。
【請求項１６】
前記胴体部の外側面には、前記胴体結合体の遊動を防止するための支持突起が突出形成され、前記蓋板の外側面には前記蓋結合体の遊動を防止するための支持突起が突出形成されることを特徴とする請求項１３に記載の分離可能な温水槽。
【請求項１７】
前記胴体部は、内壁体及び該内壁体との間に空間を有するように配設され、前記空間を密閉するように端部が前記内壁体の端部と接合し一体化となっている外壁体とからなることを特徴とする請求項１３乃至請求項１６のいずれか一項に記載の分離可能な温水槽。
【請求項１８】
前記空間は、真空状態であることを特徴とする請求項１７に記載の分離可能な温水槽。
【請求項１９】
水加熱手段が組み合わされ、冷・温水器、浄水器又は自動販売機などに装着されている温水槽において、
内部に貯水空間が設けられ、上・下側のどちらかの一側が開放されている胴体部と、
前記胴体部の開放側の外側面に備えられ、一側に係止突起が形成されている係止部と、
前記胴体部の開放側を覆うようになっている蓋部と、
前記蓋部の外側面に取り付けられる固定体と、前記固定体に上・下回動し得るように連結され、一側面に前記係止突起に引っ掛かるための係止片が突出形成されている羽根体とからなり、前記蓋部が前記胴体部に圧着して結合されたり、結合が解除されるようにする結着部と、
前記胴体部と前記蓋部が互いに組み合わされる部位に介在され、前記胴体部の内部を密閉するようになっているシール部とを含めることを特徴とする分離可能な温水槽。
【請求項２０】
前記胴体部の端部には、外向きに折り曲げられて胴体折曲部が形成され、前記蓋部の端部には、外向きに折り曲げられて蓋折曲部が形成され、前記シール部は、前記胴体部折曲部と前記蓋折曲部の間に介在されることを特徴とする請求項１９に記載の分離可能な温水槽。
【請求項２１】
前記胴体折曲部及び前記蓋折曲部のうちのどちらかの一つに、又はそれぞれに前記シール部方向に突出される突出部が形成されることを特徴とする請求項２０に記載の分離可能な温水槽。
【請求項２２】
前記胴体部は、内壁体と、該内壁体との間に空間を設けるように配設され、前記空間を密閉するように端部が前記内壁体の端部と接合し一体化になった外壁体とからなることを特徴とする請求項１９乃至請求項２１のいずれか一項に記載の分離可能な温水槽。
【請求項２３】
前記空間は、真空状態であることを特徴とする請求項２２に記載の分離可能な温水槽。
【請求項２４】
水加熱手段が組み合わされ、冷・温水器、浄水器又は自動販売機などに装着されている温水槽において、
下側が開放されている上部胴体部と、
上側が開放され、前記上部胴体部と分離可能に組み合わされる下部胴体部と、
前記上・下部の胴体部が互いに組み合わされる部位に介在されるシール部とを包含してなされ、
前記上・下部の胴体部が互いに組み合わされる各部位には、前記上・下部の胴体部が互いに螺子結合方式により結合されることができるように上・下部の螺子部をそれぞれ備えていることを特徴とする分離可能な温水槽。
【請求項２５】
前記上部螺子部は、前記上部胴体部に取り付けられる上部結合体に形成されていることを特徴とする請求項２４に記載の分離可能な温水槽。
【請求項２６】
前記下部螺子部は、前記下部胴体部に取り付けられる下部結合体に形成されていることを特徴とする請求項２４に記載の分離可能な温水槽。
【請求項２７】
前記上部螺子部は、前記上部胴体部に取り付けられる上部結合体に形成されており、前記下部螺子部は、前記下部胴体部に取り付けられる下部結合体に形成されていることを特徴とする請求項２４に記載の分離可能な温水槽。
【請求項２８】
前記上部胴体部の端部には、外側に折り曲げられながら上部折曲部が形成され、前記下部胴体部の端部には、外側に折り曲げられながら下部折曲部が形成され、前記シール部は、前記上部折曲部と下部折曲部の間に介在されることを特徴とする請求項２７に記載の分離可能な温水槽。
【請求項２９】
前記上部折曲部及び前記下部折曲部のうちのどちらかの一つに、又はそれぞれに前記シール部方向に突き出される突出部が形成されていることを特徴とする請求項２８に記載の分離可能な温水槽。
【請求項３０】
前記上部胴体部の外側面には、前記上部結合体の遊動を防止するための支持突起が突出形成されており、前記下部胴体部の外側面には前記下部結合体の遊動を防止するための支持突起が突出形成されていることを特徴とする請求項２７に記載の分離可能な温水槽。
【発明の詳細な説明】
【技術分野】
【０００１】
本発明は、冷・温水器、浄水器、又は自動販売機に装着される温水槽に関するものであって、さらに詳細には、温水槽が分離可能な構造からなっていることから、温水槽の洗浄が容易となり、温水槽の外壁に真空状態の空間を設けることによって断熱性に優れた分離可能な温水槽に関する。
【背景技術】
【０００２】
一般に、冷・温水器、浄水器、又は自動販売機の内部には、内部へ流入されてくる水を急冷して排出する冷水槽と、内部へ流入されてくる水を急湯加熱して排出する温水槽が備えられている。
【０００３】
温水槽は、長期使用時、その内壁に微細物が繁殖する恐れがあり、水垢のような異物が沈着し得るため、使用者の健康を損なうという問題があった。
【０００４】
これら問題点を解決するためには、温水槽の内部を綺麗に洗浄しなければならないものの、多くの温水槽は、その内部が水密状態に密閉固定された構造を有しているため、温水槽の内部を洗浄することは不可能であった。
【０００５】
この場合、温水槽自体を交換するしかなかったため、使用者にとり交換による不都合や費用発生が避けられないものであった。
【０００６】
こうした問題等を解決するためには、温水槽の一側が、分離可能な構造を有していることが望ましいが、現在、一般の需要者に提供されている温水槽は、一側が分離可能な構造からなっていたとしても、該分離過程が非常に複雑で手間の掛かるものであった。また、構造の複雑性や製造コストの点で不利であった。
【０００７】
一方、温水槽は、その内部の水が、温水槽自体に、又は、外部に具備してある加熱手段により加熱されるが、この加熱手段としては、温水槽内部を貫通して連結され、外部より電源を供給されて加熱されるパイプヒーターが主に用いられる。
【０００８】
このパイプヒーターで温水槽内の水を加熱することで高温になるのを勘案し、温水槽は、外形に変形を起こさないように耐熱性の良いものが求められると共に、成型性、耐久性なども要求される。こうした点を考慮し、温水槽は、ステンレススチールやアルミニウムなどの金属材で製作されることが一般的である。
【０００９】
しかしながら、このような金属製の温水槽は、その素材の特性上、熱伝導率が高いため、温水槽内の水が容易に冷めると共に、これによりパイプヒーターの加熱が継続して行われる必要性が生じ、電力浪費につながるという問題点を抱えていた。
【発明の開示】
【発明が解決しようとする課題】
【００１０】
本発明は、前述した従来技術の問題点等を解決するために案出されたもので、温水槽の内部洗浄が容易に行われるように分離可能な構造からなっている温水槽を提供すると共に、分離又は組合せが容易な構造を有する温水槽を提供することにその目的がある。
【００１１】
また、温水槽に装着されたパイプヒーター、温度センサーなどに連結される電気線を外したり、再び連結する必要なしに、洗浄を行うことができる温水槽を提供することにその目的がある。
【００１２】
また、このパイプヒーターと温度センサーの電気的連結状態に水が接触しないようにすることによって、漏電などによる火災の虞がない温水槽を提供することにその目的がある。
【００１３】
さらに、本発明による分離可能な温水槽は、断熱性に優れた構造からなっているため、省電力化が図れる温水槽を提供することにその目的がある。
【課題を解決するための手段】
【００１４】
前述した目的を達成するために、本発明の分離可能な温水槽は、水加熱手段が組み合わされ、冷・温水器、浄水器又は自動販売機などに装着されている温水槽において、内部に貯水空間が設けられ、上・下側のどちらかの一側が開放されている胴体部と、前記胴体部の開放側に分離可能に結合されている蓋部と、前記胴体部及び前記蓋部の相互結合部位に介在され、前記胴体部の内部を密閉するようになっているシール部とを包含してなされるが、前記胴体部及び前記蓋部が相互結合する各部位には、前記蓋部及び前記胴体部が互いに螺子結合方式により組み合わされるように蓋螺子部と胴体螺子部がそれぞれ備えられる。
【００１５】
また、本発明の分離可能な温水槽は、水加熱手段が組み合わされ、冷・温水器、浄水器又は自動販売機などに装着されている温水槽において、内部に貯水空間が設けられ、上・下側のどちらかの一側が開放されている胴体部、前記胴体部の開放側の外側面に備えられ、一側に係止突起が形成されている係止部、前記胴体部の開放側を覆うようになる蓋部、前記蓋部の外側面に取り付けられる固定体と、前記固定体に上・下回動可能に連結され、一側面に前記係止突起に引っ掛かるように係止片が突出形成された羽根体とからなり、前記蓋部が前記胴体部に圧着して結合されたり、結合が解除されるようにさせる結着部、及び前記胴体部と前記蓋部が互いに組み合わされる部位に介在され、前記胴体部の内部を密閉するようになっているシール部を包含してなされる。
【００１６】
さらに、本発明の分離可能な温水槽は、水加熱手段が組み合わされ、冷・温水器、浄水器又は自動販売機などに装着されている温水槽において、下側が開放された上部胴体部、上側が開放され、前記上部胴体部と分離可能に組み合わされる下部胴体部、及び前記上・下部の胴体部が互いに組み合わされる部位に介在されるシール部を包含してなされるが、前記上・下部の胴体部が互いに組み合わされる各部位には、前記上・下部の胴体部が互いに螺子結合方式により組み合わされるように上・下部螺子部がそれぞれ備えられる。
【発明の効果】
【００１７】
本発明によれば、蓋部及び胴体部が互いに分離可能に組み合わされる構造からなっているので、温水槽の洗浄が可能となると共に、容易に行うことができる。また、蓋部と胴体部の結合、又は、分離が簡単かつ容易になされるという長所がある。
【００１８】
また、温水槽が前述したように容易に分離できることから、温水槽の洗浄時にパイプヒーター、温度センサーに連結されている電気線を外したり、再び連結しなければならない煩わしさを解消することができる。
【００１９】
また、温水槽を分離した状態で洗浄を行うことから、電気線に水が接するような不具合をなくし、漏電などによる火災の発生を防ぐことが可能である。
【００２０】
さらに、温水槽の胴体部が二重壁体からなっているので、断熱性が向上し、水を加熱するための電力消耗が少なくなり、省電力化が図れる。
【発明を実施するための最良の形態】
【００２１】
本発明の望ましい一実施例による分離可能な温水槽は、水加熱手段が組み合わされ、冷・温水器、浄水器又は自動販売機などに装着されている温水槽において、内部に貯水空間が設けられ、上・下側のどちらかの一側が開放されている胴体部、前記胴体部の開放側に分離可能に結合されている蓋部、及び前記胴体部及び前記蓋部が相互結合する部位に介在され、前記胴体部の内部を密閉するようになっているシール部を包含してなされるが、前記胴体部及び前記蓋部が相互結合される各部位には、前記蓋部及び前記胴体部が互いに螺子結合方式により組み合わされるように蓋螺子部と胴体螺子部がそれぞれ備えられる。
【００２２】
一方、本発明の望ましい他の実施例による分離可能な温水槽は、水加熱手段が組み合わされ、冷・温水器、浄水器又は自動販売機などに装着されている温水槽において、内部に貯水空間が設けられ、上・下側のどちらかの一側が開放されている胴体部、前記胴体部の開放側の外側面に備えられ、一側に係止突起が形成されている係止部、前記胴体部の開放側を覆うようになっている蓋部、前記蓋部の外側面に取り付けられる固定体と、前記固定体に上・下回動可能に連結され、一側面に前記係止突起に引っ掛かるように係止片が突出形成されている羽根体とからなり、前記蓋部が前記胴体部に圧着して結合されたり、その結合が解除されるようにする結着部、及び前記胴体部と前記蓋部が互いに組み合わされる部位に介在され、前記胴体部の内部を密閉するようになっているシール部とを包含してなされる。
【００２３】
さらに、本発明の望ましい他の実施例による分離可能な温水槽は、水加熱手段が組み合わされ、冷・温水器、浄水器又は自動販売機などに装着されている温水槽において、下側が開放されている上部胴体部、上側が開放され、前記上部胴体部と分離可能に組み合わされる下部胴体部、及び前記上・下部の胴体部が互いに結合する部位に介在されるシール部とを包含してなされるが、前記上・下部の胴体部が互いに組み合わされる各部位には、前記上・下部の胴体部が互いに螺子結合方式により組み合わされるように螺子部がそれぞれ備えられる。
【００２４】
以下、添付図面に基づいて本発明の望ましい実施例について詳細に説明する。この際、同じ機能を奏する同一部材には、同一図面符号を付する。
【００２５】
図１ないし図１９に示したように、本発明の望ましい実施例による分離可能な温水槽は、胴体部１００、蓋部２００、及びシール部３００を包含してなされる。
【００２６】
胴体部１００は、その内部に貯水空間を有するべく円筒、楕円筒、四角筒、六角筒などの様々な形態からなっている。
【００２７】
この胴体部１００は、上側又は下側のどちらかの一側が開放され、この開放された一側には蓋部２００が組み合わされる。
【００２８】
蓋部２００と胴体部１００は、相互分離可能に組み合わされる。蓋部２００と胴体部１００の結合方式及び結合構造については、各実施例の説明で詳しく述べる。
【００２９】
蓋部２００と胴体部１００が分離可能に組み合わされることによって、本発明の望ましい実施例による温水槽は、分離可能な構造を持つことになる。
【００３０】
蓋部２００と胴体部１００は、ステンレススチールやアルミニウムなどの金属材質から製作し得るばかりでなく、硝子、琺瑯、陶器などの素材となるセラミック材質からも製作されることができる。但し、こうした材質に限られるものではなく、様々な他の材質から製作することも可能である。
【００３１】
蓋部２００と胴体部１００が互いに組み合わされる時、胴体部１００の内部を密閉するために蓋部２００と胴体部１００が相互結合する部位にはシール部３００が介在される。
【００３２】
シール部３００は、ゴムやシリコンなどの素材からなるパッキングが用いられる。パッキングの縦断面がＯ字状になっているＯリング(Ｏ-ｒｉｎｇ)や、略長方形の縦断面を持つパッキングなど、様々な形状のパッキングを用いることができる。
【００３３】
そして、胴体部１００の内部の密閉性をより向上するために蓋部２００及び胴体部１００の相互結合部位と面接触するシール部３００の外側面には複数の突起３０３が突出形成されたり、パッキングの長手方向に沿って連続して突出される突起線３０２が形成されることができる。この突起線３０２の外側面に突起３０３が突出形成されることも可能である。
【００３４】
蓋部２００及び胴体部１００の相互結合部位に一つのシール部３００を介在することもできるが、これに限定されるものではなく、密閉性の向上のために２つ以上のシール部３００を介在することも可能である。
【００３５】
図１ないし図３では、本発明の一実施例による分離可能な温水槽１を示している。本実施例では、胴体部１００が、円筒形状を有しながら胴体部１００の上側が開放された例を挙げている。
【００３６】
蓋部２００は、胴体部１００の開放側に挿入されながら結合されることも可能であり、これと違って胴体部１００の開放側の外側面を覆いながら結合されることもできる。本実施例では、前者のものを提示している。
【００３７】
蓋部２００と胴体部１００が相互分離可能に組み合わされるべく、蓋部２００と胴体部１００の相互結合部位には蓋螺子部２０１と、胴体螺子部１０１がそれぞれ形成されている。蓋部２００は、蓋螺子部２０１が胴体螺子部１０１と螺子結合方式により組み合わされることによって、胴体部１００と分離可能に結合するようになる。
【００３８】
本実施例では、蓋部２００の外側面と胴体部１００の内側面に蓋螺子部２０１と胴体螺子部１０１がそれぞれ形成されている。
【００３９】
本実施例では、蓋部２００の外側面が数回連続して折り曲げられることにより蓋螺子部２０１が形成された例を示しており、胴体螺子部１０１もまた胴体部１００の内側面が数回連続して折り曲げられることにより形成された例を提示している。但し、これら例は、蓋部２００及び胴体部１００がそれぞれステンレススチール又はアルミニウムなどの金属材質からなっている場合に望ましい一例として提示されたものであって、これら例に限定されるものではない。
【００４０】
胴体螺子部１０１は、胴体部１００の内側面で円周方向に連続して形成される。
【００４１】
蓋螺子部２０１は、蓋部２００の外側面で円周方向に連続して形成されることも可能であるが、図２に示したように所定長さを有する多数の蓋螺子部２０１が蓋部２００の外側面の円周に沿って所定距離ほど離隔して形成されることも可能である。
【００４２】
胴体部１００が、本実施例のように円筒形状からなっているものではなく、楕円筒、四角筒、六角筒などのような様々な形状からなる場合については、図示されていないが、この胴体部１００と前述した蓋部２００が互いに螺合するべく、胴体部１００の開放側端部に円形部(図示せず)を別に設けることが可能であり、この円形部に胴体螺子部１０１を形成し得る。
【００４３】
本実施例では、２つのシール部３００を具備した例を挙げている。このうち、一つのシール部３００ａは、Ｏリングを使っている。Ｏリングは、蓋部２００と胴体部１００の相互結合部位中、蓋部２００の結合部位に形成の結合溝２０２に嵌合されることにより、蓋部２００と胴体部１００の相互結合部位間に介在されるようになる。この結合溝２０２により、Ｏリングが容易に蓋部２００に結合されたり、分離されたりすることができる。
【００４４】
この結合溝２０２は、蓋部２００の結合部位でない、胴体部１００の結合部位に形成されることも可能である。
【００４５】
図３では、この結合溝２０２が蓋螺子部２０１の上方に形成された例を挙げているが、これに限定されるものではなく、結合溝２０２は、蓋螺子部２０１の下方に形成されることも可能であるなど、必要に応じて適宜な位置に形成することができる。
【００４６】
図３では、蓋部２００と胴体部１００が相互組み合わされることによって、胴体部１００と接触するＯリングの一側面が加圧されて変形した様態を示している。
【００４７】
別のシール部３００ｂは、蓋部２００の端部に形成の蓋折曲部２１１と胴体部１００の端部に形成の胴体折曲部１１１との間に介在されている。
【００４８】
蓋折曲部２１１は、蓋部２００の外側面の上側端部から外向きに折り曲げられて形成される。そして、胴体折曲部１１１は、胴体部１００の開放側端部から外向きに折り曲げられて形成される。
【００４９】
蓋折曲部２１１と胴体折曲部１１１が形成されることにより、その間に介在のシール部３００ｂは蓋折曲部２１１及び胴体折曲部１１１により加圧される面積が広くなる。それゆえ、胴体部１００内の密閉性がより向上することができる。この際、シール部３００ｂは、略長方形の縦断面を有するパッキングが用いられるが、こうした形状に限られるものでないことは勿論である。
【００５０】
図３に示したように、蓋折曲部２１１は、その外側端部が再び下方に折り曲げられることによってパッキングが結合するための収容溝２０３を形成することになる。この収容溝２０３が形成されることによって、パッキングは、蓋部２００に着脱可能に結合することができる。
【００５１】
図４では、本発明の第２実施例による分離可能な温水槽を示している。本実施例は、第１実施例と大同少異のものであり、但し、胴体部１００の下側が開放された例を提示している。
【００５２】
図４に示されている図面符号のうち、具体的に説明されていない符号については、前述した内容により説明されることができるので、本実施例に関する説明ではこれを省略する。
【００５３】
図５では、本発明の第３実施例による分離可能な温水槽を示している。本実施例は、第１実施例と大同少異のものであり、但し、胴体折曲部１１２と蓋折曲部２１２との間に一つのシール部３００が介在されている例を提示している。
【００５４】
本実施例のシール部３００は、胴体折曲部１１２に着脱可能に嵌められて結合される。具体的に、図５に基づいてシール部３００の左・右側の縦端面がそれぞれ「⊂」と「⊃」の形状からなっていると共に、シール部３００の下側には胴体折曲部１１２の外側端部が嵌められるような溝を設けている。シール部３００が、このような形状を有していることによって、シール部３００は、この溝を介して胴体折曲部１１２に嵌められて結合されることができる。
【００５５】
図５に示している図面符号のうち、具体的に説明されていない符号については、前述した内容により説明されることができるので、本実施例に関する説明ではこれを省略する。
【００５６】
図６では、本発明の第４実施例による分離可能な温水槽を示している。本実施例では、前述した各実施例と違って、胴体折曲部１１３と蓋折曲部２１３の間にシール部３００が介在されていない。本実施例における胴体折曲部と蓋折曲部は、蓋部２００と胴体部１００が相互組み合わされる際、蓋部２００及び胴体部１００の各端部が互いに引っ掛かり合うための係止段の役割を奏している。
【００５７】
本実施例では、胴体部１００と組み合わされる蓋部２００の結合部位に２つのシール溝２０２が形成され、そこにそれぞれＯリングが結合されている例を提示している。
【００５８】
図６に示している図面符号のうち、具体的に説明されていない符号については、前述した内容により説明されることができるので、本実施例に関する説明ではこれを省略する。
【００５９】
図７では、本発明の第５実施例による分離可能な温水槽を示しており、本実施例は、第４実施例と大同少異のものである。但し、第４実施例と違って、胴体折曲部１１４と蓋折曲部２１４との間にシール部３００が介在されている。この際、シール部３００は、第３実施例のように胴体折曲部１１４に嵌められて結合される。
【００６０】
図７に示している図面符号のうち、具体的に説明されていない符号については、前述した内容により説明されることができるので、本実施例に関する説明ではこれを省略する。
【００６１】
図８では、本発明の第６実施例による分離可能な温水槽を示している。本実施例では、前述した各実施例と違って、蓋部２００が胴体部１００の開放側の外側面を覆いながら螺子結合している例を挙げている。本実施例では、蓋部２００の内側面に蓋螺子部２０１が形成され、胴体部１００の外側面に胴体螺子部１０１が形成される。
【００６２】
本実施例のシール部３００は、胴体部１００の開放側端部に形成の胴体折曲部１１５に嵌着され、蓋部２００の内側縁により加圧されることで密閉機能を奏するようになっている。
【００６３】
図８に示している図面符号のうち、具体的に説明されていない符号については、前述した内容により説明されることができるので、本実施例に関する説明ではこれを省略する。
【００６４】
図９では、本発明の第７実施例による分離可能な温水槽を示しており、本実施例は、第６実施例と大同少異のものである。
【００６５】
但し、本実施例の胴体螺子部１０１は、前述した各実施例と違って、胴体部１００の外側面から突出し、一体に形成された例を提示している。
【００６６】
胴体部１００は、ステンレススチールやアルミニウムなどの金属材質からなり得るが、硝子、琺瑯、陶器などの素材となるセラミック材からもなり得る。
【００６７】
胴体部１００がセラミック材からなされた場合、本実施例の如く、胴体螺子部１０１は、胴体部１００の外側面から突出し、一体に形成される。
【００６８】
本実施例では、蓋部２００と組み合わされる胴体部１００の結合部位、上・下側にそれぞれ結合溝２０２を形成し、この結合溝にシール部３００を嵌合した例を提示している。
【００６９】
この際、シール部３００は、Ｏリングや縦断面が長方形に近いパッキングでなくても、密閉機能を効率に奏しえるようなパッキングであれば、様々な変形が可能である。
【００７０】
本実施例では、外側面に突起が突出形成されているシール部を使用した例を示しており、図９において、下方に位置するシール部３００の底面を支持するために胴体部１００の外側面には外向きに突き出される支持部１９３が形成されることができる。
【００７１】
図９に示している図面符号のうち、具体的に説明されていない符号については、前述した内容により説明されることができるので、本実施例に関する説明ではこれを省略する。
【００７２】
図１０では、本発明の第８実施例による分離可能な温水槽を示しており、本実施例は、胴体部１００の下側が開放され、蓋部２００が胴体部１００の下側を覆いながら螺子結合している例を提示している。
【００７３】
蓋部２００は、前述した第７実施例の胴体部１００の如く、セラミック材からなることができ、この場合、蓋部２００は、本実施例のように蓋螺子部２０１が蓋部２００の内側面から突出され、一体に形成されている例を提示することができる。
【００７４】
図１０に示している図面符号のうち、具体的に説明されていない符号については、前述した内容により説明されることができるので、本実施例に関する説明ではこれを省略する。
【００７５】
図１１では、本発明の第９実施例による分離可能な温水槽を示しており、本実施例は、第６実施例と大同少異のものである。但し、蓋部２００の内側縁に円周方向に連続する収容溝２０４が形成され、そこに略長方形の縦断面を有するパッキング３００が収容結合されている。
【００７６】
胴体部１００の開放側端部には、このパッキングの底面を加圧するための胴体折曲部１１６が形成される。
【００７７】
本実施例は、胴体部１００が、ステンレススチールやアルミニウムなどの金属材質からなる場合、この胴体部１００の外側面に胴体螺子部１０１が形成される他の方式を提示している。
【００７８】
具体的に、胴体部１００の外側面にプラスチックなどの材質からなった胴体結合体１３０がインサート射出や強制圧入などの方式で取り付けられ、この胴体結合体１３０の外側面に胴体螺子部１０１が形成される。
【００７９】
図１１に示している図面符号のうち、具体的に説明されていない符号については、前述した内容により説明されることができるので、本実施例に関する説明ではこれを省略する。
【００８０】
図１２ないし図１４では、本発明の第１０実施例による分離可能な温水槽を示しているが、本実施例は、第９実施例と大同少異のものである。
【００８１】
胴体部１００の外側面には、前述した第９実施例の胴体結合体のようなもの１３０が取り付けられる。
【００８２】
本実施例の蓋部２００は、前述した各実施例と違って、胴体部１００の開放側を覆うようになっている蓋板２２０と、この蓋板の外側面に固定される蓋結合体２３０とからなり、蓋螺子部２０１は、この蓋結合体２３０に形成される。
【００８３】
前述した第９実施例の胴体部１００の如く、蓋板２２０がステンレススチールやアルミニウムなどの金属材質からなる場合に、プラスチックなどの材質からなる蓋結合体２３０がインサート射出や強制圧入などの方式で蓋板２２０の外側面に固定されることができる。
【００８４】
蓋結合体２３０は、上側が蓋板２２０の外側面に固定され、蓋結合体２３０の内側面に前述した胴体結合体１３０と螺合し得るための蓋螺子部２０１が形成される。
【００８５】
この蓋結合体２３０は、所定長さを持つ複数の蓋結合体からなると共に、蓋板２２０の外側面縁部に沿って離隔して備えられることも可能であり、本実施例のように蓋板２２０の外側面縁部に沿って延長しながら連結されるように蓋板２２０の外側面に具備されることも可能である。
【００８６】
この胴体結合体１３０及び蓋結合体２３０の遊動を防止するために、胴体部１００の外側面と蓋板２２０の外側面にはそれぞれ支持突起１９１、２９１が突出形成される。
【００８７】
一方、胴体結合体１３０及び蓋結合体２３０は、前述した説明に限られるものではなく、蓋板２２０に前述した胴体結合体１３０と同じ機能を奏する蓋結合体が、そして胴体部１００に前述した蓋結合体２３０と同じ機能を奏する胴体結合体が備えられることも可能である。
【００８８】
胴体部１００の端部と蓋板２２０の端部には、それぞれ外向きに折り曲げられる胴体折曲部１１７と蓋折曲部２１７が形成され、シール部３００は、この胴体折曲部１１７と蓋折曲部２１７の間に介在される。本実施例では、シール部３００が、胴体折曲部１１７に嵌合されて介在された例を示している。
【００８９】
前述した胴体折曲部１１７及び蓋折曲部２１７のどちらかの一側には、胴体折曲部１１７に嵌着されているシール部３００の一側をより集中的に加圧することができるように、このシール部３００の方向に突き出される突出部が形成される。この突出部は、胴体折曲部１１７及び蓋折曲部２１７の各一側にそれぞれ形成されることも可能である。
【００９０】
図１４の(Ａ)に図示の要部拡大図では、突出部１９２が胴体折曲部１１７の一側から突出形成されている例を示しており、図１４の(Ｂ)に図示の要部拡大図では、突出部１９２が蓋折曲部２１７の一側に形成されている例を示している。
【００９１】
一方、図１４の(Ｃ)に図示の要部拡大図では、胴体折曲部１１７と蓋折曲部２１７の別の例を示している。図１４の(Ｃ)に示したように、胴体折曲部１１７及び蓋折曲部２１７の中央部には溝１０５、２０５がそれぞれ形成されることができ、この溝１０５、２０５によりこの溝１０５、２０５の左・右側は相対的に突出した部位となる。胴体折曲部１１７及び蓋折曲部２１７がこのような形状を持つことによって、シール部３００は、胴体折曲部１１７及び蓋折曲部２１７の間に介在される際、溝１０５、２０５の左・右側の突出部位により集中加圧されることができるので、温水槽の密閉性をより向上することができる。
【００９２】
図１４に図示の要部拡大図(Ａ)、(Ｂ)、(Ｃ)及びこれに関する前記説明は、後述する第１１実施例、第１２実施例、第１３実施例にも、もちろん適用し得る。
【００９３】
そして、温水槽の密閉性がより向上するようにシール部３００の内側端部、即ち温水槽内部側の端部には上・下に延長される延長部３０１が一体に形成されることができる。この延長部３０１は、蓋板２２０と胴体部１００の相互結合部位が温水槽の内側に露出しないように遮断膜の役割を奏するようになっているので、温水槽の密閉性をさらに向上することができる。
【００９４】
また、蓋部２００及び胴体部１００の各端部と接するようになっているシール部３００の外側面には複数の突起線３０２と突起３０３が突出形成されていることによって、密閉性の向上を期待することができる。
【００９５】
図１２ないし図１４に示している図面符号のうち、具体的に説明されていない符号については、前述した内容により説明されることができるので、本実施例に関する説明ではこれを省略する。
【００９６】
図１５では、本発明の第１１実施例による分離可能な温水槽を示している。本実施例は、第１０実施例と大同少異のものであり、但し、前述した各実施例と違って、胴体部１００が二重壁体からなっている。
【００９７】
具体的に、胴体部１００は、内壁体１７０と外壁体１８０とからなる。内壁体１７０と外壁体１８０は、成型の利便性や耐久性を考慮し、ステンレススチールやアルミニウムなどの金属材質から製作することができる。但し、こうした材質に限定されるものではなく、硝子、琺瑯、陶器などの素材となるセラミック材など様々な材質から製作することができる。
【００９８】
外壁体１８０は、内壁体１７０との間に空間を設けるように配設されると共に、この空間を密閉するように外壁体１８０の端部は内壁体１７０の端部と接合し、一体化となっている。
【００９９】
接合方式としては、内壁体１７０及び外壁体１８０がステンレススチールやアルミニウムなどの金属材質からなっている場合、溶接などのような方法が選ばれるが、外壁体及び内壁体の素材に応じて適切な接合方法を選択することができる。
【０１００】
そして、内壁体１７０及び外壁体１８０がセラミック材からなっている場合、前述した各端部を、成型時に一体化して製作することができる。
【０１０１】
内壁体１７０と外壁体１８０の間には空間１７５が設けられると同時に密閉されている。この密閉空間１７５の空気層により温水槽の外壁は熱伝導率が低くなり、そのことから温水槽の内部に貯蔵の加熱された水は温度を保つことができる。この際、温水槽の熱伝導率を最大に低くさせるべく、この空間１７５を、真空状態になすことが望ましい。
【０１０２】
この空間１７５が真空状態となるように様々な真空形成方式が用いられるが、一例では外壁体１８０に真空排気のための孔を形成し、接合一体化した内壁体１７０及び外壁体１８０を真空加熱炉内に入れて真空加熱処理し、所定の真空度になった時、この真空排気孔を密封することによって、真空状態に至るようにすることができる。また、他の例では、真空排気孔に真空排気装置を連結して真空排気を行い、所定の真空度に到達すると真空排気孔を密封することによって真空状態を形成することもできる。
【０１０３】
図１５に示している図面符号のうち、具体的に説明されていない符号については、前述した内容により説明されることができるので、本実施例に関する説明ではこれを省略する。
【０１０４】
図１６ないし図１８では、本発明の第１２実施例による分離可能な温水槽を示しており、本実施例では胴体部１００と蓋部２００の相互結合方式において、前述した各実施例と異なる方式を提示している。
【０１０５】
本実施例では、胴体部１００の開放側を覆うようになっている蓋部２００に結着部２５０を具備し、胴体部１００に係止部１５０を具備している。
【０１０６】
結着部２５０と係止部１５０について、以下で、詳細に説明する。胴体部１００の開放側の外側面には、後述する羽根体２５２の係止片２５３が引っ掛かることにより係合する係止部１５０が備えられる。
【０１０７】
胴体部１００がステンレススチールやアルミニウムなどの金属材質からなっている場合、この係止部１５０の製作が容易となるように係止部１５０はプラスチックなどの材質からなることができ、胴体部１００とインサート射出又は強制圧入方式などにより取り付けられる。
【０１０８】
この際、この係止部１５０の遊動を防止するために胴体部１００の外側面には支持突起１９１が突出形成されている。
【０１０９】
しかしながら、胴体部１００がセラミック材質から製作される場合は、係止部１５０が同じセラミック材質からなり得るものの、胴体部１００の外側面から一体に突出形成された例を提示することができ、この際、前述した支持突起の形成は不要となる。
【０１１０】
係止部１５０の一側、具体的には係止部１５０の底部の外側には後述する羽根体２５２の係止片２５３が引っ掛かることにより係合する係止突起１５１が下方に突出形成される。
【０１１１】
係止部１５０は、胴体部１００の外側面の縁部に沿って所定長さを有するように形成されることもできるが、但し、胴体部１００の形状が円筒である例では、縁部に沿って延長して連結されるようにすることが、後述する蓋部２００が円周上の位置に制限されず、組み合わされることができるという点でさらに望ましいといえる。
【０１１２】
蓋部２００の外側面には結着部２５０が備えられ、結着部２５０は、蓋部２００の外側面に取り付けられる固定体２５１と、この固定体２５１の一側に連結され、上・下回動し得るような羽根体２５２とを含んでなされる。
【０１１３】
固定体２５１と羽根体２５２の連結は、ヒンジピンによりヒンジ結合(図示せず)されるなど、様々な連結方式が用いられる。
【０１１４】
本実施例では、結着部２５０がプラスチックなどの素材からなり得るが、この際、固定体２５１と羽根体２５２の相互連結部位は、非常に薄い厚みを有するようにして羽根体２５２が固定体２５１を中心に上・下方に回動することができると共に、固定体２５１と一体に連結された例を提示している。
【０１１５】
羽根体２５２の一側面、具体的には羽根体２５２が上・下回動する際、胴体部１００に向けた一側面には係止片２５３が突出形成される。
【０１１６】
この係止片２５３は、羽根体２５２の胴体部１００方向への回動に応じて前述した係止突起１５１に引っ掛かることにより係合し、再び胴体部１００の外側方向に回動するにつれ、その結合が解除するようになる。この際、固定体２５１と羽根体２５２の連結地点から係止片２５３までの直線距離は、同じ地点の水平線上で係止部１５０の底部外側に形成されている係止突起１５１の下端までの垂直距離より多少短いので、係止片２５３は、この係止突起１５１の下端を伝いながら引っ掛かるようになっている。
【０１１７】
係止片２５３がこのように係止突起１５１に引っ掛かることになれば、蓋部２００は、胴体部１００に圧着しながら結合するようになっている。
【０１１８】
結着部２５０は、少なくとも２つ以上が、蓋部２００の外側面に備えられ、この時、羽根体２５２の回動の利便性とバランスの取れた圧着力が加えられるように一つの結着部２５０に対向する位置にまた他の結着部２５０を備えることが望ましい。但し、これに限られるものではなく、蓋部２００が胴体部１００に圧着して結合することができるように適宜な位置に複数個の結着部２５０を備えることも可能である。
【０１１９】
そして、固定体２５１は、蓋部２００の外側面の縁部に沿って所定長さを有するように形成され得るが、複数個備えられる固定体２５１の間を蓋部２００の外側面の縁部に沿って互いに延長して連結されるように形成することも可能である。
【０１２０】
蓋部２００がアルミニウムやステンレススチール又はセラミック素材などから製作された場合、結着部２５０がプラスチック素材からなり得るものの、固定体２５１が蓋部２００に固定されるためにインサート射出又は強制圧入などの方式が用いられる。この際、固定体２５１の遊動を防止するために前述した胴体部１００と同じく支持突起２９１が蓋部２００の外側面から突出形成されることができる。
【０１２１】
一方、前述した説明と違って、前述した機能を奏する結着部２５０が胴体部１００に、そして前述した機能を奏する係止部１５０が蓋部２００に備えられることも可能である。
【０１２２】
図１６ないし図１８に示している図面符号のうち、具体的に説明されていない符号については前述した内容により説明されることができるので、本実施例に関する説明ではこれを省略する。
【０１２３】
図１９では本発明の第１３実施例による分離可能な温水槽を示しており、本実施例は前述した第１２実施例と大同少異のものである。但し、本実施例は、前述した第１２実施例と違って胴体部１００が二重壁体からなり、この胴体部１００に関しては前述した第１１実施例の胴体部１００に関する説明により理解を得られると思われるので、本実施例に関する説明ではこれを省略する。
【０１２４】
図１９に示している符号のうち、具体的に説明されていない符号に関しては前述した内容により説明されることができるので、本実施例に関する説明ではこれを省略する。
【０１２５】
前述した第１実施例ないし第１３実施例による分離可能な温水槽には温水槽内に貯蔵の水を加熱するための様々な加熱手段を備えることができる。
【０１２６】
この加熱手段の一例としてパイプヒーター４が挙げられる。パイプヒーター４は、蓋部２００又は胴体部１００に取り付けられ、且つ、胴体部１００の内部を貫通して連結されるように固定してある。パイプヒーター４は、外部電源より電力を供給されることにより発熱し、温水槽内に貯蔵の水を加熱するようになっている。
【０１２７】
このパイプヒーター４に加わって、温水槽には、温水槽表面の温度を感知し、パイプヒーター４の作動可否を決定することによって、温水槽の内部に貯蔵の水を一定温度に保持する温度センサー７をさらに備えることが可能である。
【０１２８】
このパイプヒーター４と温度センサー７は、外部電源と、一つの電源供給ライン又は個別的な電源供給ラインを形成するように電気線８を介して連結されている。
【０１２９】
一方、こうした温水槽は、冷・温水器、浄水器又は自動販売機などの内部で多様な固定手段、例えば、図面で示しているような固定ブラケット５により取り付けられる。
【０１３０】
前述した各実施例のうち、胴体部１００の上側が開放された例においては、蓋部２００にこの固定ブラケット５が取り付けられるが、この場合、前述した温度センサー７が蓋部２００(第１０実施例では蓋板２２０)の上側に装着されることが好ましく、パイプヒーター４は、胴体部１００内部を貫通して連結されるように蓋部２００(第１０実施例では蓋板２２０)に取り付けられることが望ましい。温水槽の洗浄時、胴体部１００のみを蓋板２００から離脱させ、掃除を行えるようにすることによって、わざわざ分離しなくても良く、且つ、温度センサー７やパイプヒーター４に連結されている電気線８を外さなくても良いからである。しかも、胴体部１００の洗浄時、水が用いられても温度センサー７やパイプヒーター４に連結されている電気線８に水が接触することがないので、漏電などによる火災を予防することができるからである。
【０１３１】
前述した各実施例のうち、胴体部１００の下側が開放された例において、そしてこの胴体部１００の上側に固定ブラケット５が連結されている場合は、前述した同じ理由により胴体部１００に温度センサー７とパイプヒーター４が装着されることが望ましい。
【０１３２】
但し、固定ブラケット５、温度センサー７及びパイプヒーター４の装着位置は、前記説明に限られるものではなく、必要に応じて蓋部２００又は胴体部１００のどちらかの一側に装着されることも可能である。
【０１３３】
図２０では、本発明の第１４実施例による分離可能な温水槽を示している。本実施例は、前述した第６実施例と大同少異のものである。但し、第６実施例のように蓋部２００及び胴体部１００が互いに螺子結合するのではなく、内部に貯水空間がそれぞれ設けられている上部胴体部４００及び下部胴体部５００が互いに螺子結合しているという点で多少差がつくだけである。
【０１３４】
本実施例では、上部胴体部４００の開放側の外側面に上部螺子部４０１が、そして下部胴体部５００の開放側の内側面に下部螺子部５０１が形成されている。
【０１３５】
シール部３００は、上部胴体部４００と下部胴体部５００の相互結合部位のうち、上部胴体部４００の結合部位に形成の結合溝２０２に嵌合されている。
【０１３６】
本実施例では、上部胴体部４００が下部胴体部５００の内部に挿入しながら螺子結合している例を提示しているが、この例に限定されるものではなく、下部胴体部５００が上部胴体部４００の内部に挿入しながら螺子結合することも可能である。
【０１３７】
図２０に示している図面符号のうち、具体的に説明されていない符号に関しては、前述した内容により説明されることができるので、本実施例に関する説明ではこれを省略する。
【０１３８】
図２１では、本発明の第１５実施例による分離可能な温水槽を示している。本実施例は、前述した第１４実施例と大同少異のものであり、但し、上部胴体部４００と下部胴体部５００の各外側面に上部結合体４３０と下部結合体５３０がそれぞれ取り付けられている。この上部結合体４３０は、前述した第１０実施例における蓋結合体２３０とその機能及び形状が殆ど同一であり、下部結合体５３０は、第１０実施例における胴体結合体１３０とその機能及び形状が殆ど同一である。上部結合体４３０及び下部結合体５３０に係る説明は、前述した第１０実施例に係る説明により理解できると思われるので、本実施例に関する説明ではこれを省略する。
【０１３９】
図２１における図面符号４９１及び５９１は、第１０実施例における１９１及び２９１と同じ機能を奏する支持突起をそれぞれ示している。
【０１４０】
上部胴体部４００と下部胴体部５００の各端部には、外向きに折り曲げられる上部折曲部４１１と下部折曲部５１１がそれぞれ形成される。この際、シール部３００は、この上部折曲部４１１と下部折曲部５１１の間に介在されることができるが、本実施例では、シール部３００が下部折曲部５１１に嵌合して介在された例を提示している。
【０１４１】
図２１における図面符号５９２は、第１０実施例における１９２と同じ機能を奏する突出部を示したものであって、本実施例では、下部折曲部５１１から突出した例を提示している。もちろん、この突出部５９２は、上部折曲部４１１及び下部折曲部５１１のどちらかの一側に形成されるか、又はそれぞれの一側に形成されることが可能である。
【０１４２】
また、示されていないが、図１４に図示の第１０実施例における溝１０５、２０５と同じ機能を奏する溝が上部折曲部４１１と下部折曲部５１１に形成されることも可能である。
【０１４３】
図２１に表示の図面符号のうち、具体的に説明されていない符号に関しては、前述した内容により説明されることができるので、本実施例に関する説明ではこれを省略する。
【０１４４】
前述した第１４実施例及び第１５実施例の温水槽にも温度センサー７とパイプヒーター４が設けられることができ、この温度センサー７とパイプヒーター４の望ましい設置箇所については、前述した内容により説明されることができる。
【０１４５】
前述した説明で、本発明の技術範囲に含まれていないことから、詳しく説明されていない図面符号２と３は、温水槽の内部に連結するために貫通結合している入水管及び出水管をそれぞれ示しており、図面符号５は、冷・温水器などの内部に温水槽を固定させるための固定ブラケットを示したものである。そして、図面符号６は、排水管を示したものであり、８は電気線を示したものである。
【０１４６】
本発明は、特許請求の範囲で請求している請求の要旨を逸脱せず、当該技術分野における通常の知識を有する者により様々変形して実施することができるので、本発明の技術保護範囲は、詳述した特定の望ましい実施例に限定されるものではない。
【図面の簡単な説明】
【０１４７】
【図１】本発明の第１実施例による分離可能な温水槽を示した斜視図である。
【図２】図１に図示の温水槽の分解斜視図である。
【図３】図１に図示の温水槽の断面図である。
【図４】本発明の第２実施例による分離可能な温水槽を示した断面図である。
【図５】本発明の第３実施例による分離可能な温水槽を示した断面図である。
【図６】本発明の第４実施例による分離可能な温水槽を示した断面図である。
【図７】本発明の第５実施例による分離可能な温水槽を示した断面図である。
【図８】本発明の第６実施例による分離可能な温水槽を示した断面図である。
【図９】本発明の第７実施例による分離可能な温水槽を示した断面図である。
【図１０】本発明の第８実施例による分離可能な温水槽を示した断面図である。
【図１１】本発明の第９実施例による分離可能な温水槽を示した断面図である。
【図１２】本発明の第１０実施例による分離可能な温水槽を示した斜視図である。
【図１３】図１２に図示の温水槽の分解斜視図である。
【図１４】図１２に図示の温水槽の断面図である。
【図１５】図１２に図示の温水槽の胴体部の他の例を示した第１１実施例の断面図である。
【図１６】本発明の第１２実施例による分離可能な温水槽を示した斜視図である。
【図１７】図１６に図示の温水槽の分解斜視図である。
【図１８】図１６に図示の温水槽の断面図である。
【図１９】図１６に図示の温水槽の胴体部の他の例を示した第１３実施例の断面図である。
【図２０】本発明の第１４実施例による分離可能な温水槽を示した断面図である。
【図２１】本発明の第１５実施例による分離可能な温水槽を示した断面図である。
【符号の説明】
【０１４８】
１  分離可能な温水槽
１００  胴体部
１０１  胴体螺子部
１１１、１１２、１１３、１１４、１１５、１１６、１１７  胴体折曲部
１３０  胴体結合体
１５０  係止部
１５１  係止突起
１７０  内壁体
１８０  外壁体
１９１  支持突起
１９２  突出部
２００  蓋部
２０１  蓋螺子部
２０２  結合溝
２０３、２０４  収容溝
２１１、２１２、２１３、２１４、２１７  蓋折曲部
２２０  蓋板
２３０  蓋結合体
２５０  結着部
２５１  固定体
２５２  羽根体
２５３  係止片
２９１  支持突起
３００  シール部
３０１  延長部
３０２  突起線
３０３  突起
４００  上部胴体部
４０１  上部螺子部
４１１  上部折曲部
４３０  上部結合体
５００  下部胴体部
５０１  下部螺子部
５１１  下部折曲部
５３０  下部結合体
【図１】
2009257729.tif 000003
【図２】
2009257729.tif 000004
【図３】
2009257729.tif 000005
【図４】
2009257729.tif 000006
【図５】
2009257729.tif 000007
【図６】
2009257729.tif 000008
【図７】
2009257729.tif 000009
【図８】
2009257729.tif 000010
【図９】
2009257729.tif 000011
【図１０】
2009257729.tif 000012
【図１１】
2009257729.tif 000013
【図１２】
2009257729.tif 000014
【図１３】
2009257729.tif 000015
【図１４】
2009257729.tif 000016
【図１５】
2009257729.tif 000017
【図１６】
2009257729.tif 000018
【図１７】
2009257729.tif 000019
【図１８】
2009257729.tif 000020
【図１９】
2009257729.tif 000021
【図２０】
2009257729.tif 000022
【図２１】
2009257729.tif 000023